(57)【要約】      （修正有）【課題】ユーザが容易に抜去に係る周辺機器の認識を可能にする。【解決手段】電子計算機に接続される周辺機器に対して、ユーザが認識可能なアイコンや文字列等の識別子を設定し、電子計算機から周辺機器を抜去する際、電子計算機の有するディスプレイ等の表示手段に、該識別子を表示させることで、ユーザが容易に抜去に係る周辺機器を認識することが可能となる。これにより、誤操作の防止及びユーザ負荷の軽減が可能となる。【選択図】図３
2012018473.tif 000002
【特許請求の範囲】
【請求項１】
電子計算機に接続されている周辺機器の抜去に係る制御方法であって、
前記電子計算機に接続されている前記周辺機器を前記電子計算機が検出するステップと、
前記周辺機器の備える識別番号と前記電子計算機により管理される一又は複数の識別子のうちの一つとが対応づけられて登録される前記電子計算機に保存されているデバイスリストに基づき、前記検出された前記周辺機器の備える識別番号に対応づけられる前記識別子を前記電子計算機が前記電子計算機の備える表示手段に表示するステップと、
前記表示手段により表示された前記識別子がユーザにより選択されるのに応じて、前記デバイスリストにより前記識別子に対応づけられた前記識別番号を備える前記周辺機器の前記電子計算機からの抜去に係る動作を前記電子計算機が行うステップと、
を有する事を特徴とする制御方法。
【請求項２】
前記識別子は画像又は文字列のうち少なくともいずれか一つを備えることを特徴とする請求項１に記載の制御方法。
【請求項３】
前記周辺機器の備える識別番号と前記電子計算機により管理される識別子とが対応づけられて登録される前記電子計算機の備えるデバイスリストに基づき、前記検出された前記周辺機器の備える識別番号に対応づけられる前記識別子を前記電子計算機が前記電子計算機の備える表示手段に表示するステップより前に、
前記検出された前記周辺機器の備える識別番号が前記電子計算機の備える前記デバイスリストに登録されているか否かを前記電子計算機が判断するステップと、
前記電子計算機による判断の結果、前記検出された前記周辺機器の備える識別番号が前記デバイスリストに登録されていない場合、前記周辺機器の備える識別番号がユーザの操作に伴い生成または選択される識別子と対応づけられ、前記電子計算機によって前記デバイスリストに新たに登録されるステップと、
を有する事を特徴とする請求項１又は２に記載の制御方法。
【請求項４】
前記電子計算機が前記周辺機器の種類を判断し、前記周辺機器の備える識別子と対応づけた上で前記周辺機器の種類を前記デバイスリストに登録するステップを有する事を特徴とする請求項３に記載の制御方法。
【発明の詳細な説明】
【技術分野】
【０００１】
本発明は、電子計算機に接続されている周辺機器を安全に抜去するための制御方法に関する。
【背景技術】
【０００２】
パーソナルコンピュータ等の電子計算機が動作中であって、該電子計算機に接続されているＵＳＢフラッシュメモリやハードディスクドライブ等の周辺機器を抜去する際、該電子計算機上で実行されているオペレーティングシステム（以下ＯＳ）は、ユーザの操作に応じて、以下の処理を行う必要がある。ＯＳは、ユーザの操作に応じて、ペンディング状態のＩ／Ｏリクエストの処理、電子計算機の有するソフトウェアキャッシュのフラッシュ、周辺機器の有するキャッシュのフラッシュ動作による消去、周辺機器の有するディスクのスピンダウン等を行う。これらは、周辺機器に書き込まれるデータの消失、破損が発生を防止するために行われる。また、ＯＳは、周辺機器とのインターフェースを通じて供給する電力を低減させ、周辺機器のサスペンドを行う。これにより、該インターフェースを通じて過剰な電流が供給され、周辺機器の備えるハードウェアの破損が生じるのを防止する。
【０００３】
ＯＳによるこれら抜去に係る処理が完了した後、ユーザは安全に周辺機器を取り外すことが可能となる。ここで、ユーザがＯＳに抜去に係る処理を実行させるために、マウスやキーボードなどの入力装置を用いて、抜去に係る処理を開始させるための操作、抜去に係る周辺装置を選択する操作等が必要となる。これらの処理は非常に煩雑であり、ユーザの負担となる。この問題を解決するために、特許文献１に、電子計算機に対して取り外し動作を開始させるためのボタン等のインターフェースを有する周辺機器が開示されている。
【先行技術文献】
【特許文献】
【０００４】
【特許文献１】特表２００９−５４３２５１号公報
【発明の概要】
【発明が解決しようとする課題】
【０００５】
ユーザがＯＳに周辺装置の抜去に係る処理を実行させるための操作の際、抜去の対象となる周辺装置を選択する操作は直感的ではない。即ち、電子計算機に、複数の周辺機器が接続されている場合において、ＯＳにより該周辺機器に対して割り当てられる認識番号、例えばドライブレターから、周辺機器を識別するのはユーザにとって負担である。
【課題を解決するための手段】
【０００６】
電子計算機に接続されている周辺機器の抜去に係る制御方法であって、電子計算機に接続されている周辺機器を前記電子計算機が検出するステップと、周辺機器の備える識別番号と前記電子計算機により管理される一又は複数の識別子のうちの一つとが対応づけられて登録される前記電子計算機に保存されているデバイスリストに基づき、前記検出された前記周辺機器の備える識別番号に対応づけられる前記識別子を前記電子計算機が前記電子計算機の備える表示手段に表示するステップと、前記表示手段により表示された前記識別子がユーザにより選択されるのに応じて、前記デバイスリストにより前記識別子に対応づけられた前記識別番号を備える前記周辺機器の前記電子計算機からの抜去に係る動作を前記電子計算機が行うステップと、を有する事を特徴とする。
【発明の効果】
【０００７】
電子計算機に接続される周辺機器に対して、ユーザが認識可能な識別子を設定し、電子計算機から周辺機器を抜去する際、電子計算機の有する表示手段に、該識別子を表示させることで、ユーザが容易に抜去に係る周辺機器を認識することが可能となる。これにより、誤操作の防止及びユーザ負荷の軽減が可能となる。
【図面の簡単な説明】
【０００８】
【図１】アプリケーションの動作を示すフロー（その１）である。
【図２】アプリケーションの動作を示すフロー（その２）である。
【図３】アイコン選択に係るダイアログボックスの一例である。
【図４】アプリケーションのメインウィンドウの一例である。
【図５】アプリケーションのメインウィンドウの一例である。
【図６】アプリケーションのメインウィンドウの一例である。
【図７】アプリケーションの処理の全体を示すフローである。
【図８】デバイスの検索に係る処理を示すフロー（その１）である。
【図９】デバイスの検索に係る処理を示すフロー（その２）である。
【図１０】メインループに係る処理を示すフローである。
【図１１】ウィンドウプロシージャに係る処理を示すフローである。
【発明を実施するための形態】
【０００９】
図１乃至６を用いて、本実施例に係るアプリケーションの動作を説明する。ユーザの操作に応じて、本実施例に係るアプリケーションは電子計算機（以下、ＰＣと記す）上で起動される（図１、Ｓ１００）。起動後、アプリケーションは、ＰＣに接続されている周辺機器（以下、デバイスと記す）の個数、デバイスの有する識別番号（以下、デバイスＩＤと記す）を取得する（Ｓ１０２）。
【００１０】
アプリケーションは、レジストリに保存されているデバイスリストをメモリ空間上にロードし、一つのデバイスのデバイスＩＤと、デバイスリスト中のデバイスＩＤを照合する（Ｓ１０４）。照合の結果、アプリケーションが取得したデバイスのデバイスＩＤと該ＰＣのレジストリに保存されているデバイスリスト中のデバイスＩＤが一致した場合、該デバイスは過去に該ＰＣに接続されたことがあり、該デバイスに対してアイコンが設定されているということを意味する。ここで、レジストリとは、オペレーティングシステム（以下、ＯＳと記す）がＯＳ自身の設定や、ＯＳ上で動作するアプリケーションの情報を保存する場所のことを言う。なお、デバイスリストは、デバイスとアイコンとの対応関係に係る情報を保持するリストでありレジストリ上に保存される。本実施例においては、デバイスリストには、デバイスのデバイスＩＤとアイコンに係るデータの保存場所（以下、パスと記す）との対応関係が保存される。デバイスリストはアプリケーションによりメモリ空間上にロードされ、状況に応じ情報の追記及び変更並びに拡張がなされた上で用いられる。
【００１１】
デバイスの備えるデバイスＩＤと、デバイスリスト中に保存されているデバイスＩＤが一致する、即ち、デバイスに対してすでにアイコンが対応関係にある場合、（Ｓ１０６：ＹＥＳ）、デバイスリストの情報を元にデバイスに対してアイコンをアプリケーションが決定する。即ち、アプリケーションは、デバイスリストに記載されたパスよりアイコンのデータをメモリ空間上にロードする（Ｓ１１４）。
【００１２】
デバイスの備えるデバイスＩＤと、デバイスリスト中に保存されているデバイスＩＤが一致しない、即ち、デバイスに対してアイコンが対応づけられていない場合（Ｓ１０６：ＮＯ）、アプリケーションは、ユーザがデバイスにアイコンを割り当てるためのダイアログボックスＤＢを表示する（Ｓ１０８）。ユーザがデバイスにアイコンを割り当てる際に電子計算機の備える表示部に表示されるダイアログボックスＤＢの一例を図３に示す。ダイアログボックスＤＢには、新しいデバイスが接続されていることと、該デバイスに対応するアイコンを選択可能であることを通知する文字列、及び選択アイコン表示部ＬＩに、選択対象となるアイコンＩ０乃至Ｉ４が表示される。マウスによるクリック操作、又は、キーボードによる操作等、ユーザの操作により、デバイスに割り当てるアイコンをアイコンＩ０乃至Ｉ４の中から選択された後、ＯＫボタンＢＯが選択されることで、デバイスにアイコンが割り当てられる（Ｓ１１０）。
【００１３】
アプリケーションは、デバイスとアイコンの対応関係であるデバイスＩＤとアイコンの保存場所のパスを、レジストリ上のデバイスリストに追記する（Ｓ１１２）。そして、デバイスリストを元に、アプリケーションがデバイスに対してアイコンを決定する。即ち、アプリケーションは、デバイスリストに記載されたパスよりアイコンのデータをメモリ空間上にロードする（Ｓ１１４）。
【００１４】
検出された全てのデバイスについてデバイスリストへの記入が完了したか否かがチェックされる（Ｓ１１６）。全てのデバイスについてデバイスリストへの記入が完了していない場合は（Ｓ１１６：ＮＯ）、ステップＳ１０４からＳ１１４が再度繰り返され、未だアイコンが設定されていないデバイスのデバイスＩＤとアイコンの保存場所の関係をデバイスリストに追記される事で、アイコンが設定される。
【００１５】
全てのデバイスについてアイコンが設定された後（Ｓ１１６：ＹＥＳ、Ｓ１１８）、アプリケーションのメインウィンドウＭＷが描画される（図２、Ｓ１２０）。ここで表示されるメインウィンドウＭＷの一例を図４に示す。メインウィンドウＭＷは、ドライブレター表示部Ｄ０乃至Ｄ２、アイコン表示部Ｉ０乃至Ｉ２を備える。ドライブレター表示部Ｄ０乃至Ｄ２には、ＯＳによるデバイスに係る認識番号であるドライブレターＤＥ乃至ＤＧが表示される。ドライブレター表示部Ｄ０乃至Ｄ２の上部のアイコン表示部Ｉ０乃至Ｉ２には、デバイスリストに基づいて、各ドライブレターに対応するアイコンＩＥ乃至ＩＧが表示される。マウスカーソルＭＣがアイコン表示部Ｉ０乃至Ｉ２の上にある場合、（図２、Ｓ１２２：ＹＥＳ）、後述するステップＳ１２８において、メインウィンドウＭＷが再描画される（Ｓ１２８）。
【００１６】
マウスカーソルＭＣがアイコンの上に存在せず、（Ｓ１２２：ＮＯ）、メインウィンドウＭＷの表示中に、他のアプリケーションがユーザに選択され、本実施例に係るアプリケーションがフォーカスを失った場合（Ｓ１２４：ＹＥＳ）、または、デバイスの情報が変化した場合（Ｓ１２６：ＹＥＳ）、本実施例に係るアプリケーションは終了する（Ｓ１Ｅ）。
【００１７】
ステップＳ１２８において表示されるメインウィンドウＭＷの一例を図５に示す。マウスカーソルＭＣがアイコン表示部Ｉ１上にあるため、アイコンＩＦは図５に示すアイコンＩＲに置き換えられる。また、アイコン表示部Ｉ１上に取り外し対象のドライブである文字列が表示された上で、アイコン表示部Ｉ１に係る周辺装置を取り外すことができることを示す文字列がメッセージＭＳＧに表示される。
【００１８】
ここで、ユーザがアイコン表示部Ｉ１上で、左クリックを行った場合（Ｓ１３０：ＹＥＳ）、後述するステップＳ１３６において、メインウィンドウＭＷが再描画される。左クリック操作がなされず（Ｓ１３２：ＮＯ）、右クリック操作が為された場合（Ｓ１３２：はい）、設定メニューの表示がなされる（Ｓ１３４）。ステップＳ１３４においては、設定メニューに表示されるアイコンの再設定、デバイスの取り外し等、各種操作をユーザが選択する。アイコンの再設定が完了した後は、ステップＳ１２０に戻る。デバイスの取り外し操作がユーザにより選択された場合は、左クリック操作が為された場合と同じくステップＳ１３６の動作が行われる。
【００１９】
ステップＳ１３６では、取り外し対象となったデバイスに係るアイコンが変更された上で、メインウィンドウＭＷが再描画される。図６に、再描画された後のメインウィンドウＭＷについて図６に示す。取り外し対象となったデバイスに係るアイコン表示部Ｉ１に、取り外し動作中であることを示す文字列が表示される。ステップＳ１３６の後、アプリケーションはＰＣ上で動作するＯＳに対し、デバイスの取り外し要求を発行する（Ｓ１３８）。デバイスの取り外しが成功した場合（Ｓ１４０：ＹＥＳ）、アプリケーションを終了する（Ｓ１Ｅ）。以上が本実施例に係るアプリケーションの動作の概要である。
【００２０】
図７乃至図１１を用いて本実施例に係るアプリケーションの処理方法について説明する。図７に、本実施例に係るアプリケーションの処理方法の全体図を示す。アプリケーションがユーザの操作に応じて開始される（Ｓ７００）。次に、アプリケーションが、ＰＣに接続されるデバイスの検索を行う（Ｓ７０２）。次に、アプリケーションが、メインウィンドウＭＷを作成し、表示する（Ｓ７０４）。次に、アプリケーションが、メインループを実行し、メインループ中で、終了メッセージが発行されるのに応じて、アプリケーションが終了する（Ｓ７Ｅ）。
【００２１】
図８及び図９にデバイスの検索に係る処理方法を示す。また、図１０に、メインループにおける処理方法を示す。また、図１１に、メインループ実行中に発行されるメッセージに応じて処理が為される、ウィンドウプロシージャの動作を示す。
【００２２】
図８及び図９を用いてデバイスの検索に係る処理方法を説明する。デバイスの検索に係る処理により、ＯＳがデバイスを特定するために用いる認識番号と、デバイスが有するデバイスＩＤを対応づける。ＯＳがデバイスを特定するために用いる認識番号は、ＯＳが起動される度、及びデバイスが挿抜される度に変更される蓋然性があるため、当該処理が必要となる。なお、図８及び図９に示す処理方法においては、デバイスのうち、書き込み可能な記録媒体のみを検索する。書き込み可能な記録媒体には、ＯＳがデバイスを特定するために用いる認識番号としてドライブレターが割り当てられる。アプリケーションは、当該書き込み可能な記録媒体のデバイスＩＤと、ドライブレターとを対応づけ、メモリ空間上にロードされたデバイスリストを拡張する形で当該対応関係を追記する。
【００２３】
デバイスの検索処理の開始（図８，Ｓ８００）の後、アプリケーションは、ＰＣに接続される周辺装置の情報を収集する（Ｓ８０２）。ステップＳ８０２により、ＰＣに接続されているデバイスの個数が判明する。次に、個々のデバイスについて詳細情報を取得する（Ｓ８０４）。ここで、デバイスの詳細情報とは、デバイスの有するデバイスＩＤ、Ｄｅｖｉｃｅ  ｔｙｐｅ即ちデバイスの種類、デバイスのＳｔｏｒａｇｅ  Ｄｅｖｉｃｅ  Ｎｕｍｂｅｒ、デバイスが取り外し可能であるか否か等の情報である。なお、Ｓｔｏｒａｇｅ  Ｄｅｖｉｃｅ  Ｎｕｍｂｅｒとは、デバイスが記録媒体である場合に有する識別番号である。詳細情報の取得に失敗した場合（Ｓ８０６：ＮＯ）、アプリケーションを終了する（Ｓ８０８）。詳細情報の取得に成功した場合（Ｓ８０６：ＹＥＳ）、デバイスがリムーバブルであるか、即ち、取り外し可能であるかが判断される（Ｓ８０９）。デバイスがリムーバブルでなかった場合（Ｓ８０９：ＮＯ）、該デバイスに係る処理を終了し、別のデバイスについて詳細情報を取得する（Ｓ８０４）。次に、Ｄｅｖｉｃｅ  ｔｙｐｅが書き込み可能な記録媒体、即ちディスクであるか否かを判断する（Ｓ８１０）。Ｄｅｖｉｃｅ  ｔｙｐｅがディスクでなかった場合（Ｓ８１０：ＮＯ）、該デバイスに係る処理を終了し、別のデバイスについて詳細情報を取得する（Ｓ８０４）。
【００２４】
該デバイスのＤｅｖｉｃｅ  ｔｙｐｅがディスクであった場合（Ｓ８１０：ＹＥＳ、Ｓ８１１）、アプリケーションは、ＯＳが認識している記録装置、即ちドライブのチェックを開始する（図９、Ｓ８１２）。アプリケーションはドライブの詳細情報の取得を行う（Ｓ８１４）。ここで、取得される情報は、各ドライブのドライブレター、Ｄｅｖｉｃｅ  ｔｙｐｅ、Ｓｔｏｒａｇｅ  Ｄｅｖｉｃｅ  Ｎｕｍｂｅｒ等の情報である。ここで、Ｄｅｖｉｃｅ  ｔｙｐｅがディスクでなかった場合（Ｓ８１６：ＮＯ）、次のドライブレターの処理（Ｓ８２８）を行い、別のドライブについてドライブの詳細情報の取得を行う（Ｓ８１４）。
【００２５】
Ｄｅｖｉｃｅ  ｔｙｐｅがドライブであった場合、ステップＳ８０６において詳細情報を取得したデバイスと、該ドライブの照合を行う（Ｓ８１８）。該デバイスと該ドライブについてＳｔｏｒａｇｅ  Ｄｅｖｉｃｅ  ｎｕｍｂｅｒを用いて照合を行い、不一致の場合は（Ｓ８２０：ＮＯ）、全ドライブについて照合済みか否かを判断する（Ｓ８２６）。照合が済んでいないドライブが存在する場合（Ｓ８２６：ＮＯ）、未照合のドライブに係るドライブレターへの処理に移行し（Ｓ８２８）、ステップＳ８１４を実行する。全ドライブについて照合済みであった場合（Ｓ８２６：ＹＥＳ）、後述するステップＳ８３０を実行する。ステップＳ８２０の結果、該デバイスと該ドライブについてＳｔｏｒａｇｅ  Ｄｅｖｉｃｅ  ｎｕｍｂｅｒが一致した場合（Ｓ８２０：ＹＥＳ）、メモリ空間上のデバイスリストを拡張する形で、デバイスＩＤと、Ｄｅｖｉｃｅ  ｔｙｐｅ等のデバイスに係る詳細な情報と、ドライブレターとの対応関係を追記する（Ｓ８２４）。そして、電子計算機に接続された全デバイスについて照合済みか否かを判断し（Ｓ８３０）、未照合のデバイスが存在する場合（Ｓ８３０：ＮＯ、Ｓ８０３）、未照合のデバイスについてステップＳ８０４（図８）以降の処理を行う。全デバイスについて照合済みであった場合（Ｓ８３０：ＹＥＳ）、デバイスの検索処理を終了する（Ｓ８Ｅ）。
【００２６】
図８及び図９に示すデバイスの検索により得られたデバイスのデバイスＩＤと、ＯＳにより認識されているドライブレターとの対応関係、及びデバイスＩＤとアイコンとを対応づけるメモリ空間上の拡張されたデバイスリストを用いて、図７ステップＳ７０４に示すメインウィンドウの作成が行われる。
【００２７】
メインウィンドウ描画後、アプリケーションの主処理であるメインループが実行される。メインループにおいて行われる処理を図１０に示す。メインループ開始（Ｓ９００）後、アプリケーションは、アプリケーションに対して通知されるメッセージを取得する（Ｓ９０２）。ここで、メッセージとは、ＯＳがアプリケーション対して行う通知のことを言う。例えば、ユーザが行うキーボード入力、マウス操作、アプリケーションを終了させるための操作などが、メッセージとしてアプリケーションに通知される。ステップＳ９０２において取得されたメッセージが、アプリケーションを終了させる終了メッセージであった場合（Ｓ９０４：ＹＥＳ）、メインループは終了する（Ｓ９Ｅ）。
【００２８】
取得したメッセージが、終了メッセージ以外のメッセージであった場合（Ｓ９０４：ＮＯ）、メッセージが翻訳され（Ｓ９０６）、翻訳されたメッセージがウィンドウプロシージャに送出される（Ｓ９０８）。ここで、ウィンドウプロシージャとは、メッセージを処理するアプリケーションの一部である。
【００２９】
図１１にウィンドウプロシージャの動作について示す。ウィンドウプロシージャ開始（Ｓ１０００）後、ウィンドウプロシージャは、ステップＳ１００２、Ｓ１００８において、メインループから送出され、受け取ったメッセージについて判断する。受け取ったメッセージが、他のアプリケーションが選択され、本実施例に係るアプリケーションがフォーカスを失ったことを示すメッセージであった場合（Ｓ１００２：ＹＥＳ）、メインウィンドウＭＷの内容が破棄され（Ｓ１００４）、アプリケーションは終了する（Ｓ１００６）。受け取ったメッセージが左クリックであった場合（Ｓ１００８：ＹＥＳ）、後述するステップＳ１０１０へ移行する。ウィンドウプロシージャの受け取ったメッセージが、フォーカスを失った旨のメッセージ及び左クリックのどちらでも無い場合（Ｓ１００８：ＮＯ）、ウィンドウプロシージャによる処理は終了する（Ｓ１０Ｅ）。
【００３０】
ステップＳ１０１０において、ウィンドウプロシージャは左クリックがなされた際のマウスカーソルＭＣ（図５）の位置を取得する。得られたマウスカーソルＭＣ（図５）の位置を元に、左クリックの際にマウスカーソルＭＣ（図５）がメインウィンドウＭＷ（図５）のアイコン表示領域Ｄ０乃至Ｄ２（図５）に表示されるアイコンのうち、どのデバイスのアイコン上あったのかを判断する。即ち、ユーザによりどのアイコンが選択されたのかが判断される（Ｓ１０１２）。ウィンドウプロシージャは、ユーザにより選択されたデバイスについて、ＯＳへの取り外し要求を発行する（Ｓ１０１４）。そして、ＯＳによる該デバイスの取り外し処理が成功した場合（Ｓ１０１６：ＹＥＳ）は、メインウィンドウの破棄（Ｓ１００４）を行った上で、アプリケーションを終了する（Ｓ１００６）。ＯＳによる該デバイスの取り外し処理が失敗した場合（Ｓ１０１６：ＮＯ）は、取り外せなかったメッセージをＰＣのディスプレイに表示し（Ｓ１０１８）、ウィンドウプロシージャを終了する（Ｓ１０Ｅ）。   
【００３１】
以下、本実施例の奏する作用効果を記載する。本実施例において、アイコンを画像及び文字列の組み合わせとすることで、ユーザに、取り外しにかかるデバイスと、電子計算機に表示されるアイコンの対応関係が明瞭となる。
【００３２】
本実施例において、ユーザ自身の選択により自由にアイコンを選択可能である。また、一回アイコンが選択されたデバイスについて、そのアイコンとデバイスの対応関係をデバイスリストとして電子計算機上に保存することで、ユーザの操作負荷の軽減を図ることが出来る。
【００３３】
本実施例において、デバイスリストにＤｅｖｉｃｅ  ｔｙｐｅ等のデバイスの種類に係る情報を記録する。デバイスの種類に係る情報は、例えば、アイコン選択時にダイアログボックスに表示されるアイコン画像の絞り込みに用いることが出来る。アイコン選択の対象となるデバイスがＵＳＢメモリであった場合に、ダイアログボックスに、ＵＳＢメモリの画像のみを表示することが可能となり、ユーザの操作負荷の軽減を図ることが出来る。また、デバイスの種類に係る情報は、該周辺装置が、書き込み可能な記録媒体であるか否かの判断に用いることも可能である。
【００３４】
尚、本発明は前記実施形態に限定されるものではなく、本発明の趣旨を逸脱しない範囲内で種々の改良、変形が可能であることは言うまでもない。
【００３５】
尚、本実施例におけるアイコンは識別子の一例である。
【符号の説明】
【００３６】
ＭＷ  メインウィンドウ
Ｉ０乃至Ｉ４、ＩＥ乃至ＩＧ  アイコン
ＤＢ  ダイアログボックス
【図１】
2012018473.tif 000003
【図２】
2012018473.tif 000004
【図３】
2012018473.tif 000005
【図４】
2012018473.tif 000006
【図５】
2012018473.tif 000007
【図６】
2012018473.tif 000008
【図７】
2012018473.tif 000009
【図８】
2012018473.tif 000010
【図９】
2012018473.tif 000011
【図１０】
2012018473.tif 000012
【図１１】
2012018473.tif 000013